(57)【要約】  【課題】  無落雪屋根において、配管を落下する水流及び水滴による衝撃音を抑制することを課題とする。  【解決手段】  無落雪屋根の屋根から地上に至る配管内に設けられる排水の流れを変える無落雪屋根用排水流変換器として、前記配管内部を通ってくる全排水を受けることができるように配され、前記配管の長手方向下方と配管壁面の周方向との双方の方向成分を有するように受けた排水の流れを変換して配管の内壁に当てる変換部材と、前記変換部材を前記配管内に固定する固定手段とを設ける。【選択図】  図３
2007070855.tif 000002
【特許請求の範囲】
【請求項１】
無落雪屋根の屋根から地上に至る配管内に設けられる排水の流れを変える器具であって、
前記配管内部を通ってくる全排水を受けることができるように配され、前記配管の長手方向下方と配管壁面の周方向との双方の方向成分を有するように受けた排水の流れを変換して、配管の内壁に当てる変換部材と、
前記変換部材を前記配管内に固定する固定手段とを有する
無落雪屋根用排水流変換器。
【請求項２】
前記変換部材は、前記配管の内部空間の縦半分を斜めに切った上部断面とほぼ同じ主表面を有する第一変換板と、この第一変換板と配管の中心点に対して対象に形成される第二変換板とから構成される請求項１に記載の無落雪屋根用排水流変換器。
【請求項３】
請求項１又は２に記載の無落雪屋根用排水流変換器を有する無落雪屋根。
【請求項４】
無落雪屋根の屋根から地上に至る配管を斜めに配した無落雪屋根用配管構造。
【請求項５】
請求項４に記載の無落雪屋根用配管構造を有する無落雪屋根。
【発明の詳細な説明】
【技術分野】
【０００１】
本発明は、無落雪屋根において屋根から配管を落下し地面に衝突する排水の落下音を低下させるための、排水流の流れを変える器具および配管の構造に関する。
【背景技術】
【０００２】
従来、豪雪地域に用いられる屋根として、屋根の中央側に排水溝を設けるとともに、屋根の傾斜をこの排水溝に向うようにし、排水溝から配管を用いて家屋の中央を通って地面に排水する構造のものが存在する。このような構造の屋根は無落雪屋根と称され、屋根に積もった雪を適宜溶かしながら地面に排水していくために雪下ろしをする必要がなく、利便性が高い。
【発明の開示】
【発明が解決しようとする課題】
【０００３】
しかし、このような無落雪屋根は屋根から地面に至る配管が詰まらないように、上端部に枯葉などのゴミを受ける網からなるストレーナが設けられる。又、配管はほぼ垂直に設けられる。このため、図５の縦断面図において矢印で示すように、ストレーナーＳの網目により拡散された水流や水滴が配管Ｋ内を壁面を伝わらずに地面側に落下することとなり、大きな衝撃音を発生させることとなっていた。特に深夜の静寂な時間帯では、このような衝撃音は、睡眠の妨げになることも多い。
本発明は、このような事情に鑑み、無落雪屋根において、配管を落下する水流及び水滴による衝撃音を抑制することを課題とする。
【課題を解決するための手段】
【０００４】
上記課題を解決するために、本発明は次のような構成を有する。
請求項１に記載の発明は、無落雪屋根の屋根から地上に至る配管内に設けられる排水の流れを変える無落雪屋根用排水流変換器であり、前記配管内部を通ってくる全排水を受けることができるように配され、前記配管の長手方向下方と配管壁面の周方向との双方の方向成分を有するように受けた排水の流れを変換して配管の内壁に当てる変換部材と、前記変換部材を前記配管内に固定する固定手段とを有する。
請求項２に記載の発明は、前記無落雪屋根用排水流変換器において、前記変換部材を、前記配管の内部空間の縦半分を斜めに切ったの断面上部とほぼ同じ主表面を有する第一変換板と、この第一変換板と配管の中心点に対して対象に形成される第二変換板とから構成したものである。
請求項３に記載の発明は、前記無落雪屋根用排水流変換器を有する無落雪屋根である。
請求項４に記載の発明は、無落雪屋根の屋根から地上にいたる配管を斜めに配した無落雪屋根用配管構造である。なお、ここでの「斜め」とは少なくとも配管内部に垂直方向に連なる空間が存在しない角度を配管が有することを意味するものとする。
請求項５に記載の発明は、請求項４に記載の無落雪屋根用配管構造を有する無落雪屋根である。
【発明の効果】
【０００５】
請求項１に記載の発明は、配管内部を通ってくる全排水は、配管内部に固定される変換部材により受けられ、配管の壁面の長手方向下方と周方向の双方の方向成分を有するように配管内壁に当てられるので、排水は配管内壁面に斜め下方に向かって流れるが、配管内壁面に拘束され、結果として、配管内壁面に沿ってらせん状に落下していくことになる。これにより、配管内部の空間を落下する排水はほぼ無くなり、すべて配管内壁に沿って流れるので地面側で大きな衝撃音を発生することを抑制することができる。
請求項２に記載の発明は、半月形状の第一変換板、第二変換板とにより板体を形成することで、構造が簡単になり、製造コストを抑えることができるとともに、故障などが生じにくくメンテナンスを容易にすることができる。
請求項３に記載の発明は、上記のような効果により水の落下による衝撃音を抑制した無落雪屋根を得ることができる。
請求項４に記載の発明は、配管を斜めに配することで落下する水滴は配管の内壁の下側に必ず受けられて、この面に沿って地面側へ流れ落ちてくるので、配管内部の空間を落下する排水が無くなり、やはり、排水の落下による衝撃音を抑制することができる。
請求項５に記載の発明は、上記のような効果により水の落下による衝撃音を抑制した無落雪屋根を得ることができる。
【発明を実施するための最良の形態】
【０００６】
以下、本発明の実施形態について、図面を参照しながら説明する。
（実施形態１）
図１に実施形態１に係る無落雪屋根Ｘを有する家屋Ｈの正面図を示し、図２に無落雪屋根Ｘの排水口近傍の一部破断斜視図を示す。図に示すように無落雪屋根Ｘはほぼ中央に排水溝１０２を有し、屋根本体１０１は排水溝１０２に向かって傾斜するように形成されている。そして排水溝１０２には排水口１０３が設けられており、排水口１０３の下には地面に至る配管１０４が設けられている。図示しない配管１０４の先端はさらに地上の排水溝などに排水を流すようになっている。また、排水口１０３内にはゴミ等をさえぎるための円形の網により形成されるストレーナー１０３ａが配され、ストレーナー１０３ａの下部には、無落雪屋根用排水流変換器Ｐが固定されている。
【０００７】
図３（ａ）に無落雪屋根用排水流変換器Ｐの平面図を示し、図３（ｂ）に無落雪屋根用排水流変換器Ｐの側面図を示す。無落雪屋根用排水流変換器Ｐは、排水流の方向を変換する変換部材となる第一変換板１１および第二変換板１２、第一変換板１１、第二変換板１２を支持し、配管内壁に固定する固定部材２０、第一変換板１１、第二変換板１２を互いに固定する連結棒１３とから構成される。
固定部材２０は円筒形状をしており、内壁の半径が配管１０４の内壁の半径とほぼ等しい。固定部材２０は配管１０４の上端に形成される固定部材２０の外径をほぼ一致する円筒状の溝１０４ａに係合することで配管１０４内に固定される。
第一変換板１１は、固定部材２０の内壁が形成する円筒状の空間を縦半分に切断し、それをさらに斜めに切断した際に上面に形成される面と、形状および角度がほぼ一致する主表面を有する板状体であり、この角度をもって固定部材２０に固定される。固定部材の内壁が形成する円筒形状は、配管の内壁が形成する円筒形状と半径がほぼ等しいので、第一変換板１１の主表面は、配管の内部空間の縦半分を斜めに切断した面とも、ほぼ一致する。第二変換板１２は、第一変換板１１と相似形の半月状の板体であり、固定部材２０の中心に対して第一変換板１１に対象になるように固定部材２０に固定されている。第１変換板１１、第２変換板１２の直線部分の中心には半円状の切り欠きが形成されており、この切り欠き部分に円筒状の連結棒１３が係合し接着固定されている。
【０００８】
次に、以上のような構造を有する無落雪屋根用排水流変換器Ｐを有する無落雪屋根Ｘの作用について説明する。まず、屋根本体１０１から雨や解けた雪が排水溝１０２を伝って排水口１０３に至ると、ストレーナー１０３ａの網目により分散されて配管１０４内へと落下する。しかし、無落雪屋根用排水流変換器Ｐは、上記のような構成により、平面視配管内部を全て覆っており、排水口から落下するすべての水流を受けることができる。そして、斜めに配された第一変換板１１、第二変換板１２に受けられた水は、これらの表面を沿って流れ、固定部材２０の内壁に当たる。この際、水流の方向は第一変換板１１、第二変換板１２の角の一点以外の部分においては、配管１０４の長手方向下方と配管１０４の壁面の周方向との双方の方向成分を有することになる。これにより、固定部材２０内壁から配管１０４の内壁へ流れる水流も配管１０４の長手方向下方と配管１０４の壁面の周方向との双方の方向成分を有し、結果として配管１０４の内壁に沿ってらせん状に水流は流れる。この水流は、遠心力で常に配管の外側に向う力が働くこと、および、表面張力により配管内壁を離れることなく、地面に至ることとなる。このため、排水の落下による衝撃音は抑制されることとなる。
【０００９】
（実施形態２）
図４に実施形態２に係る無落雪屋根Ｙを有する家屋Ｈ2の正面図を示す。本無落雪屋根Ｙは、やはり、排水溝２０２を有し、屋根本体２０１は排水溝２０２に向かって傾斜するように形成されている。そして排水溝２０２には排水口２０３が設けられており、排水口２０３の下には地面に至る配管２０４が設けられている。なお、図示しない配管２０４の先端はさらに地上の排水溝などに排水を流すようになっている。また、排水口２０３内にはゴミ等をさえぎるための円形の網により形成されるストレーナーが配されれている。
この無落雪屋根Ｙは排水溝２０２の位置が中央からやや偏っており、配管２０４が鉛直に対して斜めに配されている。ここでの配管２０４の角度は鉛直に対して約１５度に設定している。
このような配管構造を有することで、無落雪屋根Ｙは雨や解けた雪が排水溝２０２を伝って排水口２０３に至り、ストレーナーの網目により分散されて配管２０４内へと落下しても、途中で必ず配管２０４の斜めになった内壁下面に当たり、その後は、配管２０４の内壁下面に沿って流れることとなる。即ち、落下する水が地面に直接当たることがなく、排水の落下による衝撃音を抑制することができる。
【図面の簡単な説明】
【００１０】
【図１】実施形態１に係る無落雪屋根を有する家屋の正面図である。
【図２】実施形態１に係る無落雪屋根の排水口近傍の一部破断斜視図である。
【図３】（ａ）は無落雪屋根用排水流変換器の平面図であり、（ｂ）は無落雪屋根用排水流変換器の側面図である。
【図４】実施形態２に係る無落雪屋根を有する家屋の正面図である。
【図５】従来の無落雪屋根の配管の様子を模式的に示す縦断面図である。
【符号の説明】
【００１１】
Ｘ、Ｙ  無落雪屋根
Ｐ      無落雪屋根用排水流変換器
１１    第一変換板
１２    第二変換板
２０    固定部材
１０４、２０４  配管
【図１】
2007070855.tif 000003
【図２】
2007070855.tif 000004
【図３】
2007070855.tif 000005
【図４】
2007070855.tif 000006
【図５】
2007070855.tif 000007